(57)【要約】【課題】ＵＨＦ帯の高周波帯の電波を効率よく受信すること。【解決手段】電子装置に接続されるコネクタ２１と、スイッチ２２と、イヤホン２５Ｌ、２５Ｒと、コネクタとスイッチ間を接続する第１のケーブル２３と、スイッチとイヤホン間を接続する接続部材とを備えたイヤホンアンテナ２０に於いて、接続部材は、イヤホンジャック部２４と、このイヤホンジャック部とイヤホン間を接続する第２のケーブル２６と、スイッチとイヤホンジャック部間を接続する第３のケーブル２７とから構成され、第３のケーブル２７をアンテナとして使用する。【選択図】図３
2007150386.tif 000002
【特許請求の範囲】
【請求項１】
電子装置に接続されるコネクタと、スイッチと、イヤホンと、前記コネクタと前記スイッチ間を接続する第１のケーブルと、前記スイッチと前記イヤホン間を接続する接続部材とを備えたイヤホンアンテナに於いて、
前記接続部材が、イヤホンジャック部と、該イヤホンジャック部と前記イヤホン間を接続する第２のケーブルと、前記スイッチと前記イヤホンジャック部間を接続する第３のケーブルとから構成され、前記第３のケーブルをアンテナとして使用することを特徴とするイヤホンアンテナ。
【請求項２】
前記第１のケーブルは受信信号を伝送するための同軸ケーブルを含み、前記第３のケーブルは前記同軸ケーブルの中心導体に一端が接続されたアンテナ素子部を含み、該アンテナ素子部は実質的に受信すべき電波の１／４波長の長さを持つ、ことを特徴とする請求項１に記載のイヤホンアンテナ。
【請求項３】
前記受信すべき電波がＵＨＦ帯にある、請求項２に記載のイヤホンアンテナ。
【請求項４】
前記スイッチは前記同軸ケーブルを収容する回路基板を備え、前記同軸ケーブルの外部導体が前記回路基板にグランド接続され、前記回路基板が、前記グランド接続された地点から実質的に前記受信すべき電波の１／４波長の長さを持つ、ことを特徴とする請求項２又は３に記載のイヤホンアンテナ。
【請求項５】
前記スイッチは前記同軸ケーブルの外部導体に一端が接続された付加ケーブルを備え、前記付加ケーブルは実質的に前記受信すべき電波の１／４波長の長さを持つ、ことを特徴とする請求項２又は３に記載のイヤホンアンテナ。
【請求項６】
前記スイッチは前記同軸ケーブルの外部導体に一端が接続された板金を備え、前記板金は実質的に前記受信すべき電波の１／４波長の長さを持つ、ことを特徴とする請求項２又は３に記載のイヤホンアンテナ。
【請求項７】
前記スイッチは回路基板を備え、前記アンテナ素子部の一部分が前記回路基板上に延在していることを特徴とする、請求項２又は３に記載のイヤホンアンテナ。
【請求項８】
前記回路基板上の前記アンテナ素子部の一部分が、前記回路基板上に形成されたパターンである、請求項７に記載のイヤホンアンテナ。
【発明の詳細な説明】
【技術分野】
【０００１】
本発明は、アンテナ装置に関し、特に、携帯端末装置に接続されてＵＨＦ帯の電波を受信するためのアンテナ機能を持つイヤホンアンテナに関する。
【背景技術】
【０００２】
最近、携帯電話の一部機種では、テレビジョン放送やＦＭ放送の視聴が可能なものが発売されてきている。また、携帯電話などの携帯端末装置（携帯機器）を用いて、音楽を聴くばかりでなく、地上波テレビジョン放送波を受信してテレビジョン放送を視聴可能なものが開発されつつある。地上波デジタル放送において、放送局に与えられる帯域は１３のセグメントに分けられる。そのうちの１２セグメントは通常の放送サービスに使われる。残る１セグメントを使って、携帯電話などによる移動受信サービスが行われる。そのため、このような移動受信サービスはワンセグ・モバイル（１セグメント放送）という呼ばれ方がされている。そして、ＮＨＫと民放各社は、携帯電話端末向けワンセグ放送を２００６年３月２７日から開始する予定である。
【０００３】
周知のように、地上波などのテレビジョン放送は、ＶＨＦ（Very High Frequency）帯、及びＵＨＦ（Ultra High Frequency）帯の電波を利用する。ＵＨＦ帯の電波を利用したテレビジョン放送では、４７０ＭＨｚ〜７７０ＭＨｚの周波数範囲の電波を利用している。尚、地上波デジタル放送等はＵＨＦ帯の電波を使用して放送される。
【０００４】
このような各種の放送を受信するには、当然、アンテナ装置が必要となる。携帯機器の場合、その筐体等が小型である。これに対して、ＦＭ帯（８０ＭＨｚ）の電波を受信するアンテナ装置は、アンテナ長がλ／４の長さの場合、そのアンテナ長が約９４ｃｍにもなる。尚、λは受信すべき電波の受信波長である。したがって、このように長いアンテナ長を持つアンテナ装置は、到底、筐体内部に入れることは困難である。
【０００５】
そこで、一般的に音声を聴くイヤホンにアンテナ機能を持たせることが広く行われている。このようなアンテナ機能を持つイヤホンは、アンテナ内蔵イヤホン、若しくはイヤホンアンテナ等と呼ばれている。
【０００６】
図１に、通常知られている従来のイヤホンアンテナ１０の構成を示す。図示のイヤホンアンテナ１０は、携帯電話（図示せず）へ接続するコネクタ１１と、スイッチ１２と、コネクタ１１とスイッチ１２間を接続する第１のケーブル（コネクタ−スイッチ間ケーブル）１３と、一対のイヤホン１４Ｌ、１４Ｒと、スイッチ１２とイヤホン１４Ｌ、１４Ｒ間を接続する第２のケーブル（スイッチ−イヤホン間ケーブル）１５とを備えている。この第２のケーブルはイヤホンケーブルとも呼ばれる。
【０００７】
図２に図１に示したイヤホンアンテナ１０の回路図を示す。尚、図２では、アンテナに関係しないライン（例えば、マイクライン、スイッチライン等）の図示を省略してある。スイッチ１２は、高周波分離用素子１２１を備える。第１のケーブル１３は、受信信号を伝送するための同軸ケーブル１３−１と、一対のイヤホン信号ライン１３−２と、イヤホングランドライン１３−３とを有する。コネクタ１１は、同軸ケーブル１３−１の中心導体に接続されたアンテナ端子１１−１と、同軸ケーブル１３−１の外部導体に接続されたアンテナ接地端子１１−２と、一対のイヤホン信号ライン１３−２に接続された一対のイヤホン端子１１−３と、イヤホングランドライン１３−３に接続されたイヤホン接地端子１１−４とを持つ。
【０００８】
図１に示すようなイヤホンアンテナ１０においては、スイッチ１２とイヤホン１４Ｌ、１４Ｒとの間の第２のケーブル１５をアンテナとして用いたり、コネクタ１１とスイッチ１３との間の第１のケーブル１３をアンテナとして用いることが一般的である。
【発明の開示】
【発明が解決しようとする課題】
【０００９】
しかしながら、図１に示したイヤホンアンテナ１０の構造の場合、次のような問題点がある。
【００１０】
先ず、スイッチ１２とイヤホン１４Ｌ、１４Ｒとの間の第２のケーブル１５をアンテナとして使用するとする。この第２のケーブル１５のケーブル長は、使用者の体の部位の一般的な大きさに合せる必要があり、自ずとその一般的な大きさに規定される。しかしながら、放送受信のための最適な長さは一般的にはλ／４（λは受信波長）となるので、ＵＨＦ帯の電波を受信するのに最適な長さは１２．５ｃｍ前後である。したがって、ＵＨＦ帯の電波の受信のためには、第２のケーブル１５のケーブル長が長すぎることになる。その結果、十分にＵＨＦ帯の電波を受信することができない。
【００１１】
また、イヤホンアンテナ１０のスイッチ１２としては、単に音声の切り替え機能だけではなく、放送や携帯電話内のメモリ等に保存した音楽を聴く為に、リモコン機能を持たせたものが出てきている。そのような機種では、ユーザは自分の好みの音質などを求めて、イヤホンを独自に購入するなどして楽しむ場合が多い。そのような場合、イヤホンをアンテナとして用いようとしても、そのようなユーザの要求に答えることができない。何故なら、独自に購入したイヤホンのイヤホンケーブルには、アンテナとして用いるために最適に設計されているものではないからである。
【００１２】
また、コネクタ１１とスイッチ１２との間の第１のケーブル１３をアンテナとして利用するとする。この場合、イヤホン１４Ｌ、１４Ｒの交換は可能となる。しかしながら、第１のケーブル１３のケーブル長はユーザの使い勝手を向上させるために、通常は７０ｃｍ〜９０ｃｍの範囲となっている。その為、第１のケーブル１３のケーブル長は、特にＵＨＦ帯の電波を受信するのに最適な長さである１２．５ｃｍ前後よりも相当長くなる。その結果、ＵＨＦ帯の電波を良好に受信することができなくなるという問題点がある。
【００１３】
したがって、本発明の課題は、ＵＨＦ帯の高周波帯等の所望の電波を効率よく受信することが可能なイヤホンアンテナを提供することにある。
【００１４】
本発明の他の課題は、ユーザが自由にイヤホンを選んで使用することができる、イヤホンアンテナを提供することにある。
【課題を解決するための手段】
【００１５】
本発明の第１の態様によれば、電子装置に接続されるコネクタ（２１）と、スイッチ（２２；２２Ａ）と、イヤホン（２５Ｌ、２５Ｒ）と、前記コネクタと前記スイッチ間を接続する第１のケーブル（２３）と、前記スイッチと前記イヤホン間を接続する接続部材とを備えたイヤホンアンテナに於いて、前記接続部材が、イヤホンジャック部（２４）と、該イヤホンジャック部と前記イヤホン間を接続する第２のケーブル（２６）と、前記スイッチと前記イヤホンジャック部間を接続する第３のケーブル（２７）とから構成され、前記第３のケーブルをアンテナとして使用することを特徴とするイヤホンアンテナ（２０、２０Ａ、２０Ｂ、２０Ｃ、２０Ｄ）が得られる。
【００１６】
上記イヤホンアンテナにおいて、前記第１のケーブル（２３）は受信信号を伝送するための同軸ケーブル（２３−１）を含み、前記第３のケーブル（２７）は前記同軸ケーブルの中心導体に一端が接続されたアンテナ素子部（２７−１；２７Ａ−１；２７Ｂ−１，２７Ｃ−１）を含み、該アンテナ素子部は実質的に受信すべき電波の１／４波長の長さ（λ／４）を持つものであって良い。また、前記受信すべき電波は、例えば、ＵＨＦ帯にあって良い。
【００１７】
前記スイッチ（２２）は前記同軸ケーブルを収容する回路基板（２２−１）を備え、前記同軸ケーブルの外部導体が前記回路基板にグランド接続され、前記回路基板が、前記グランド接続された地点から実質的に前記受信すべき電波の１／４波長の長さを持つもので良い。その代わりに、前記スイッチは、前記同軸ケーブルの外部導体に一端が接続された付加ケーブル（２２−２）を備え、前記付加ケーブルは、実質的に前記受信すべき電波の１／４波長の長さを持つもので良い。或いは、前記スイッチは、前記同軸ケーブルの外部導体に一端が接続された板金を備え、前記板金は、実質的に前記受信すべき電波の１／４波長の長さを持つもので良い。
【００１８】
前記スイッチ（２２Ａ）は回路基板（２２Ａ−１）を備え、前記アンテナ素子部（２７Ａ−１；２７Ｂ−１、２７Ｃ−１）の一部分が前記回路基板上に延在するように構成しても良い。この場合、前記回路基板（２２Ａ−１）上の前記アンテナ素子部の一部分（２７Ｃ−１）が、前記回路基板上に形成されたパターンであっても良い。
【００１９】
尚、上記括弧内の符号は、本発明の理解を容易にするために付したものであり、一例にすぎず、これらに限定されないのは勿論である。
【発明の効果】
【００２０】
本発明では、スイッチとイヤホン間を接続する接続部材が、イヤホンジャック部と、イヤホンジャック部とイヤホン間を接続する第２のケーブルと、スイッチとイヤホンジャック部間を接続する第３のケーブルとから構成され、第３のケーブルをアンテナとして使用するようにしているので、所望の電波を効率よく受信することが可能になると共に、ユーザが自由にイヤホンを選んで使用することが可能となる。
【発明を実施するための最良の形態】
【００２１】
以下、図面を参照して、本発明の実施の形態について詳細に説明する。
【００２２】
図３を参照して、本発明の第１の実施の形態に係るイヤホンアンテナ２０について説明する。図示のイヤホンアンテナ２０は、携帯電話のような携帯端末装置等の電子装置（図示せず）へ接続するコネクタ２１と、スイッチ２２と、コネクタ２１とスイッチ２２間を接続する第１のケーブル（コネクタ−スイッチ間ケーブル）２３と、イヤホンジャック部２４と、一対のイヤホン２５Ｌ、２５Ｒと、イヤホンジャック部２４とイヤホン２５Ｌ、２５Ｒ間を接続する第２のケーブル（ジャック−イヤホン間ケーブル）２６と、スイッチ２２とイヤホンジャック部２４間を接続する第３のケーブル（スイッチ−ジャック間ケーブル）２７とを備えている。
【００２３】
イヤホンジャック部２４と第２のケーブル２６と第３のケーブル２７との組み合わせは、スイッチ２２と一対のイヤホン２５Ｌ、２５Ｒ間を接続する接続部材として働く。
【００２４】
図示のスイッチ２２はリモートコントローラで構成されている。図１に示したイヤホンアンテナ１０と図３に示したイヤホンアンテナ２０との間で形状において大きく異なる点は、図３に示したイヤホンアンテナ２０では、スイッチ２２とイヤホンジャック部２４とを分離し、それらの間を第３のケーブル２７で接続した構造を採用した点にある。そして、イヤホンアンテナ２０では、第３のケーブル２７にアンテナ用のケーブル（後述）を内蔵している。
【００２５】
従来のイヤホンアンテナ１０においては、イヤホン１４Ｌ、１４Ｒのケーブル２６は、図１に示されるように、スイッチ１２に固定されている。或いは、イヤホン１４Ｌ、１４Ｒのケーブル２６にプラグが付き、イヤホン１４Ｌ、１４Ｒがスイッチ１２から取り外しできる構造であったとしても、ジャックはスイッチ１２内に入っている。
【００２６】
図４に図３に示したイヤホンアンテナ２０の回路図を示す。図４では、アンテナに関係しないライン（例えば、マイクライン、スイッチライン等）の図示を省略してある。スイッチ２２は、高周波分離用素子２２１を備える。
【００２７】
第１のケーブル２３は、受信信号を伝送するための同軸ケーブル２３−１と、一対のイヤホン信号ライン２３−２と、イヤホングランドライン２３−３とを有する。コネクタ２１は、同軸ケーブル２３−１の中心導体に接続されたアンテナ端子２１−１と、同軸ケーブル２３−１の外部導体に接続されたアンテナ接地端子２１−２と、一対のイヤホン信号ライン２３−２に接続された一対のイヤホン端子２１−３と、イヤホングランドライン２３−３に接続されたイヤホン接地端子２１−４とを持つ。
【００２８】
第３のケーブル２７は、スイッチ２２内に収容された同軸ケーブル２３−１の中心導体とイヤホンジャック部２４との間に配設されたアンテナ素子部２７−１と、一対のイヤホン信号ライン２７−２と、イヤホングランドライン２７−３とを有する。すなわち、アンテナ素子部２７−１の一端は、同軸ケーブル２３−１の中心導体と接続されている。
【００２９】
尚、アンテナ素子部２７−１は、同軸ケーブル２３−１の中心導体をそのまま延在したものであっても良い。
【００３０】
図３に示したようなイヤホンアンテナ２０の構造とすることにより、図４に示されるように、スイッチ２２とイヤホンジャック部２４との間に長さが短い（例えば、１２．５ｃｍ前後）のアンテナ素子部２７−１を配置することが可能となる。すなわち、アンテナ素子部２７−１は実質的に受信すべき電波の１／４波長の長さを持つ。これにより、ＵＨＦ帯等の高周波帯の電波を効率よく受信することができるようになる。また、ＦＭ帯やＶＨＦ帯の比較的周波数が低い帯域の電波は、例えば、コネクタ２１とスイッチ２２間の第１のケーブル２３を使用することにより、受信することが可能となる。とにかく、図３に示したイヤホンアンテナ２０では、コネクタ２１とイヤホンジャック部２４間で、ＦＭ帯、ＶＨＦ帯、ＵＨＦ帯の電波を効率よく受信することができる。
【００３１】
また、イヤホン２５Ｌ、２５Ｒから延在する第２のケーブル（イヤホンケーブル）２６をアンテナ素子として用いないので、ユーザが自由にイヤホンを選んで使用することができるという利点もある。
【００３２】
とにかく、図３及び図４に示したイヤホンアンテナ２０では、アンテナ素子部２７−１として示した範囲のアンテナラインのみがアンテナとして動作する。
【００３３】
尚、図４に示したイヤホンアンテナ２０では、高周波分離用素子２２１がスイッチ２２内に設けられているが、その代わりに、イヤホンジャック部２４内に高周波分離用素子を設けても良い。
【００３４】
図５を参照して、本発明の第２の実施の形態に係るイヤホンアンテナ２０Ａについて説明する。図示のイヤホンアンテナ２０Ａは、同軸ケーブル２３−１の外部導体がスイッチ２２の回路基板２２−１上に接地されている点を除いて、図４に示したイヤホンアンテナ２０と同様の構成を有し、動作をする。従って、図４に示したものと同様の機能を有するものには同一の参照符号を付して、以下では説明の簡略化のために相違点についてのみ説明する。
【００３５】
図５に示したイヤホンアンテナ２０Ａは、原理的には、図６に示したスリーブアンテナ３０の動作と同様の動作をする。
【００３６】
すなわち、図６に示したスリーブアンテナ３０は、同軸線路３１の芯線３１−１と外皮導体３１−２を裏返した（折り返した）構造からなり、図７に示したダイポールアンテナ４０と同様の動作を行う。ここで、芯線３１−１の長さは１／４波長（λ／４）に等しく、裏返した外皮導体３１−２の長さも１／４波長（λ／４）に等しい。
【００３７】
図５に示したイヤホンアンテナ２０Ａにおいては、アンテナ素子部２７−１がスリーブアンテナ３０の芯線３１−１に対応し、スイッチ２２の回路基板２２−１がスリーブアンテナ３０の裏返した外皮導体３１−２に対応する。何故ならば、アンテナ素子部２７−１はそのまま図６に示す芯線３１−１に対応することは明らかであり、同軸ケーブル２３−１の外部導体はスイッチ２２の回路基板２２−１にグランド接続されているからである。このときにおける、アンテナ素子部２７−１の長さと、回路基板２２−１のグランド接続された地点からの長さは、およそλ／４となる。したがって、回路基板２２−１は、図６に示すスリーブアンテナ３０の折り返された外皮導体３１−２に相当する。
【００３８】
勿論、外観上は、スリーブアンテナ３０では、折り返された外皮導体３１−２は筒状であるのに対して、図５に示すイヤホンアンテナ２０Ａでは、それに対応するものが回路基板２２−１となっているので、異なっている。しかしながら、等価回路的には、図６に示したスリーブアンテナ３０と図５に示したイヤホンアンテナ２０Ａとは同等であり、動作原理が同等なアンテナとして動作する。
【００３９】
従って、図５に示したイヤホンアンテナ２０Ａは、図４に示したイヤホンアンテナ２０とは異なった原理のアンテナとして動作する。
【００４０】
上記イヤホンアンテナ２０Ａの構造でも、ＵＨＦ帯の電波を効率良く受信することができる。また、図４に示したイヤホンアンテナ２０と比較して、図５に示したイヤホンアンテナ２０Ａは、外観上は同軸ケーブル２３−１の外部導体が回路基板２２−１にグランド接続される以外は変わらない。従って、製品になった場合、同軸ケーブル２３−１のグランド接続部は回路基板２２−１ごとスイッチ２２のケース等に収まるため、イヤホンアンテナ２０Ａとイヤホンアンテナ２０とはまったく外観上区別できない。
【００４１】
図８を参照して、本発明の第３の実施の形態に係るイヤホンアンテナ２０Ｂについて説明する。図示のイヤホンアンテナ２０Ｂは、同軸ケーブル２３−１の外部導体をスイッチ２２の回路基板にグランド接続する代わりに、同軸ケーブル２３−１の外部導体の先端に付加ケーブル２２−２の一端を接続した点を除いて、図５に示したイヤホンアンテナ２０Ａと同様の構成を有し、動作をする。従って、図５に示したものと同様の機能を有するものには同一の参照符号を付して、以下では説明の簡略化のために相違点についてのみ説明する。
【００４２】
付加ケーブル２２−２はコネクタ２１側に向けて配置されている。このときの付加ケーブル２２−２のケーブル長は、凡そλ／４である。
【００４３】
図示のイヤホンアンテナ２０Ｂでは、新に設けた付加ケーブル２２−２がスリーブアンテナ３０の外皮導体の折り返し部３１−２に対応する。したがって、イヤホンアンテナ２０Ｂの構造でもスリーブアンテナを構成することができる。
【００４４】
上記第２及び第３の実施の形態に係るイヤホンアンテナ２０Ａ、２０Ｂでは、スリーブアンテナを構成する例を示しているが、スリーブアンテナを構成する手法はこれらに限定されないのは勿論である。例えば、本発明の第３の実施の形態に係るイヤホンアンテナ２０Ｂにおいて、付加ケーブル２２−２の代わりに板金などを用いても、同様にスリーブアンテナを構成することができ、同様の効果を得ることができる。
【００４５】
上述した本発明の第１乃至第３の実施の形態に係るイヤホンアンテナ２０、２０Ａ、２０Ｂにおいては、図９に示されるように、アンテナ素子部２７−１がスイッチ２２の外部に設けられている。その為、アンテナ素子部２７−１は約１２．５ｃｍの１／４波長の長さを持つと共に、スイッチ２２の回路基板２２−１も約１２．５ｃｍの１／４波長の長さを持っている。
【００４６】
しかしながら、アンテナ素子部の一部分は、後述する実施の形態のように、スイッチの内部に配置されても良い。
【００４７】
図１０を参照して、本発明の第４の実施の形態に係るイヤホンアンテナ２０Ｃについて説明する。図１０においては、イヤホンアンテナ２０Ｃの主要部のみ図示しており、図示していない構成要素は、図４に示したものと同一である。
【００４８】
図示のイヤホンアンテナ２０Ｃは、アンテナ素子部の一部分がスイッチの内部にまで配置されている点を除いて、図４及び図９に示したイヤホンアンテナ２０と同様の構成を有する。従って、アンテナ素子部およびスイッチに、それぞれ、２７Ａ−１および２２Ａの参照符号を付してある。
【００４９】
図４及び図９に示すイヤホンアンテナ２０では、同軸ケーブル２３−１がスイッチ２２の回路基板２２−１上に収容されている。その為、アンテナ素子部２７−１と回路基板２２−１とは、共に約１２．５ｃｍの１／４波長の長さを持っている。
【００５０】
これに対して、図１０に示したイヤホンアンテナ２０Ｃでは、アンテナ素子部２７Ａ−１の一部分がスイッチ２２Ａの内部にまで延在して配置されている。アンテナ素子部２７Ａ−１の長さは、アンテナ素子部２７−１と同じく、約１２．５ｃｍの１／４波長の長さを持っている。この為、スイッチ２２Ａの回路基板２２Ａ−１の長さ（サイズ）を、スイッチ２２の回路基板２２−１の長さ（サイズ）よりも短く（小さく）することができる。
【００５１】
図１０に示すイヤホンアンテナ２０Ｃにおいては、スイッチ２２Ａの外部に出ているアンテナ素子部２７Ａ−１の長さが４〜５ｃｍあって、スイッチ２２Ａの内部に収容されたアンテナ素子部２７Ａ−１の長さは約８ｃｍである。従って、スイッチ２２Ａの回路基板２２Ａ−１の長さは８ｃｍとなる。
【００５２】
尚、アンテナ素子部２７Ａ−１は、同軸ケーブル２３−１の中心導体をそのまま延在したものであっても良い。
【００５３】
図１１を参照して、本発明の第５の実施の形態に係るイヤホンアンテナ２０Ｄについて説明する。図示のイヤホンアンテナ２０Ｄは、アンテナ素子部が後述するように変更されている点を除いて、図１０に示すイヤホンアンテナ２０Ｃと同様の構成を有する。
【００５４】
すなわち、図１０に示すイヤホンアンテナ２０Ｃでは、アンテナ素子部２７Ａ−１がスイッチ２２Ａの内部と外部とで区別されることなく、一本の芯線で構成されている。これに対して、図１１に示すイヤホンアンテナ２０Ｄでは、アンテナ素子部が、スイッチ２２Ａの外部の部分である第１のアンテナ素子部分２７Ｂ−１と、スイッチ２２Ａの内部に配設された第２のアンテナ素子部分２７Ｃ−１とから構成されている。そして、第２のアンテナ素子部分２７Ｃ−１は、回路基板２２Ａ−１上に形成されたパターンで構成されている。したがって、パターン２７Ｃ−１の一端は、第１のアンテナ素子部分２７Ｂ−１の一端と接続され、パターン２７Ｃの他端は、同軸ケーブル２３−１の中心導体に接続されている。
【００５５】
図１１に示すイヤホンアンテナ２０Ｄにおいて、第１のアンテナ素子部分２７Ｂ−１の長さは４〜５ｃｍあって、パターン（第２のアンテナ素子部分）２７Ｃ−１の長さは約８ｃｍである。従って、スイッチ２２Ａの回路基板２２Ａ−１の長さは８ｃｍとなる。
【００５６】
とにかく、本発明の第４及び第５の実施の形態に係るイヤホンアンテナ２０Ｃ及び２０Ｄにおいては、スイッチ２２Ａの回路基板２２Ａ−１のサイズ（長さ）を、本発明の第１乃至第３の実施の形態に係るイヤホンアンテナ２０、２０Ａ、及び２０Ｂにおけるスイッチ２２の回路基板２２−１のサイズ（長さ）よりも小さく（短く）することが出来る。
【００５７】
以上、本発明について好ましい実施の形態によって説明してきたが、本発明は上述した実施の形態に限定しないのは勿論である。例えば、上述した第１乃至第３の実施の形態では、第３のケーブル２７の一端はスイッチ２２に固定されているが、第３のケーブルにプラグを付け、スイッチがこのプラグと接続されるジャックを備えても良い。
【図面の簡単な説明】
【００５８】
【図１】従来のイヤホンアンテナの外観構成を示す斜視図である。
【図２】図１に示したイヤホンアンテナの回路構成を示す回路図である。
【図３】本発明の第１の実施の形態に係るイヤホンアンテナの外観構成を示す斜視図である。
【図４】図３に示したイヤホンアンテナの回路構成を示す回路図である。
【図５】本発明の第２の実施の形態に係るイヤホンアンテナの回路構成を示す回路図である。
【図６】スリーブアンテナの構成を示す斜視図である。
【図７】ダイポールアンテナの概略構成を示す図である。
【図８】本発明の第３の実施の形態に係るイヤホンアンテナの回路構成を示す回路図である。
【図９】本発明の第１乃至第３の実施の形態に係るイヤホンアンテナの主要部のみ図示する回路図である。
【図１０】本発明の第４の実施の形態に係るイヤホンアンテナの主要部の回路構成を示す回路図である。
【図１１】本発明の第５の実施の形態に係るイヤホンアンテナの主要部の回路構成を示す回路図である。
【符号の説明】
【００５９】
２０、２０Ａ、２０Ｂ、２０Ｃ、２０Ｄ    イヤホンアンテナ
２１    コネクタ
２２、２２Ａ    スイッチ（リモートコントローラ）
２２−１、２２Ａ−１    回路基板
２２−２    付加ケーブル
２３    第１のケーブル（コネクタ−スイッチ間ケーブル）
２３−１    同軸ケーブル
２４    イヤホンジャック部
２５Ｌ、２５Ｒ    イヤホン
２６    第２のケーブル（ジャック−イヤホン間ケーブル）
２７    第３のケーブル（スイッチ−ジャック間ケーブル）
２７−１、２７Ａ−１    アンテナ素子部
２７Ｂ−１    第１のアンテナ素子部分
２７Ｃ−１    第２のアンテナ素子部分（パターン）
【図１】
2007150386.tif 000003
【図２】
2007150386.tif 000004
【図３】
2007150386.tif 000005
【図４】
2007150386.tif 000006
【図５】
2007150386.tif 000007
【図６】
2007150386.tif 000008
【図７】
2007150386.tif 000009
【図８】
2007150386.tif 000010
【図９】
2007150386.tif 000011
【図１０】
2007150386.tif 000012
【図１１】
2007150386.tif 000013